(57)【要約】【課題】本発明のテンヤ用ワイヤーアシストフックは、テンヤに応じて迅速に繋ぎ変えることができる。また、本発明のテンヤは、例えば、太刀魚釣りにおいて、餌の食いちぎりを有効に防ぎ、かつ太刀魚の釣り落しを防ぐ。また、可能な限り細い材質のワイヤーを用いることで、仕掛けを目立ちにくくし、太刀魚に気付かれる率も下げ、釣れやすくする。【解決手段】本発明のテンヤ用ワイヤーアシストフック１は、テンヤ２の針部２５の懐部２３に挿通される輪１０を一端１１に有し、他端１２に掛け針１３が結止された屈曲自在なワイヤー１４であって、このワイヤー１４には輪１０を縮径させて懐部２３を締め付ける締め具１５が取り付けられ、この締め具１５の締付けまたは解除により針部の懐２３に着脱自在とする。また、本発明のテンヤ２は、前記テンヤ用ワイヤーアシストフック１を針部２５の懐部２３に繋いでいる。【選択図】図２
2018093804.tif 000002
【特許請求の範囲】
【請求項１】
テンヤの針部の懐部に挿通される輪を一端に有し、他端に掛け針が結止されたワイヤーであって、このワイヤーには前記輪を縮径させ前記針部の懐部を締付ける締め具が取り付けられ、この締め具の締付けまたは解除により前記針部の懐部に着脱自在であることを特徴とするテンヤ用ワイヤーアシストフック。
【請求項２】
掛け針は、シングルフック、ダブルフック、トリプルフック、４本フックの何れかを用いたことを特徴とする請求項１に記載のテンヤ用ワイヤーアシストフック。
【請求項３】
掛け針は、ワイヤーの他端に自由度がきくような状態で結止するか、又は自由度が効かないように拘束された状態で結止されているか、何れかであることを特徴とする請求項１又は請求項２に記載のテンヤ用ワイヤーアシストフック。
【請求項４】
締め具が、発光体からなる弾性材質製のビーズ体である請求項1に記載のテンヤ用ワイヤーアシストフック。
【請求項５】
針部の懐部に、請求項１〜請求項４の何れかに記載のテンヤ用ワイヤーアシストフックが着脱自在に取り付けられていることを特徴とするテンヤ。
【発明の詳細な説明】
【技術分野】
【０００１】
本発明は、例えば、太刀魚釣りに用いられる釣具のテンヤ用ワイヤーアシストフックおよびテンヤの改良に関するものである。
【背景技術】
【０００２】
従来、釣り具のテンヤとして、一般的に太刀魚釣りに用いられるテンヤが広く知られている。この太刀魚釣りに用いられるテンヤは図５に示すようにドジョウなどの餌Ｇを縛り付ける長い軸４１を有する針部４２と、その軸４１のチモト部４３に錘４４を取り付け、この錘４４に設けた取り付け環４５に釣り糸Ｌを結び付ける。この太刀魚釣りに用いられるテンヤは、長い軸４１にドジョウなどの餌Ｇを縛り付けて釣りを行うが、餌Ｇに引き寄せられた太刀魚（図示せず）を針部４２に掛ける仕組みとされている（特許文献1）。
【０００３】
上記のような一般的な太刀魚釣りに用いられるテンヤの他に、図６に示すように針部４２に三又針４６を取り付けた太刀魚釣りに用いられるテンヤ５０なども知られている（特許文献２）。
【先行技術文献】
【特許文献】
【０００４】
【特許文献１】特開平０８−１６３９３９号（図５参照）
【特許文献２】登録実用新案公報３１４５５６７号（図６参照）
【発明の概要】
【発明が解決しようとする課題】
【０００５】
図５の従来の太刀魚釣りに用いられるテンヤは、太刀魚の摂餌活動力が落ちたり、あるいは仕掛けに馴れてくると釣れ難くなり、餌Ｇに近寄ることがあっても針部４２に掛かりづらくなり、餌Ｇのドジョウの端部ｇだけをかじり取られるなど、釣り果が低下する一方、傷んだ餌Ｇを新しく付け替えるには非常に手間がかかり、釣り趣が著しく阻害される問題があった。このような問題を解消するため、図６に示すように、針部４２に三又針４６を付けることも提案されている。
【０００６】
図６に示す太刀魚釣りに用いられるテンヤでは、餌Ｇのドジョウの端部ｇだけをかじり取られたりする問題はかなり解消される。しかし、図６の太刀魚釣りに用いられるテンヤは一般的に販売されている製品ではなく、図６のような太刀魚釣りに用いられるテンヤを使用したいと考える場合には、各自で製作しなければならない。しかも、釣る魚に応じてテンヤを大きくしたり、小さくしたりしなければならないが、軸４８が鋼線で出来ているため、三又針４６を付け替えようとしても、針部４２の大きな返し４７が邪魔になって三又針４６の取り換えが出来ない問題がある。さらに三又針４６の軸４８が太く目立つので太刀魚に感づかれ易く、これが釣り果の低下につながる懸念がある。
【０００７】
本発明は、上記課題を解消することを目的としてなされたもので、テンヤに、着脱自在であって、しかも取り付けた後も大小のテンヤに付け替えのできるテンヤ用ワイヤーアシストフック、あるいは前記テンヤ用ワイヤーアシストフックを取り付けたテンヤを提供することを目的としてなされたものである。
【課題を解決するための手段】
【０００８】
本発明の、テンヤ用ワイヤーアシストフックは、テンヤの針部の懐部に挿通される輪を一端に有し、他端に掛け針が結止されたワイヤーであって、このワイヤーには前記輪を縮径させ前記針部の懐部を締め付ける締め具が取り付けられ、この締め具の締付けまたは解除により前記針部の懐部に着脱自在であることを特徴とする。
【０００９】
また、本発明は、テンヤ用ワイヤーアシストフックを取り付けたテンヤに関し、針部の懐部に、前記のテンヤ用ワイヤーアシストフックが着脱自在に取り付けられていることを特徴とする。
【発明の効果】
【００１０】
本発明のテンヤ用ワイヤーアシストフックは、テンヤの針部の懐部に着脱自在に取り付けることができるので、テンヤを変えても迅速に付け替えることができる。
【００１１】
また、本発明のテンヤは、テンヤ用ワイヤーアシストフックが針部に取り付けられるので、本来の針部に掛らなくても掛け針に魚が掛かりやすく、釣り落しを防げる。しかも、前記掛け針を繋ぐワイヤーの太さも可能な限り細い材質にできるので、目立ちにくく、その分釣れやすくなる。さらに、前記掛け針は、餌の端部に伸びるので、餌の端部だけ食いちぎられるといった問題も解消できる。
【図面の簡単な説明】
【００１２】
【図１】本発明のテンヤ用ワイヤーアシストフックの側面図
【図２】本発明のテンヤ用ワイヤーアシストフックを用いたテンヤの側面図
【図３】本発明のテンヤの使用状態を示す側面図
【図４】本発明の変形例のテンヤ用ワイヤーアシストフックの側面図
【図５】従来例のテンヤの側面図
【図６】他の従来例のテンヤの側面図
【実施例１】
【００１３】
図１は、本発明のテンヤ用ワイヤーアシストフックの側面図である。このテンヤ用ワイヤーアシストフック１（以下、単にワイヤーアシストフックと簡略化する場合もある。）      は、例えば、太刀魚釣りに用いられるが、太刀魚釣り用に限定されるものではない。本発明のテンヤ用ワイヤーアシストフック１は、図２に示すようなテンヤ２の針部２５の懐部２３に挿通される輪１０を一端１１に有し、他端１２に掛け針１３が結止されたワイヤー１４であって、ワイヤー１４には輪１０を縮径させて針部２５の懐部２３を締付ける締め具１５が挿通されている。なお、図１に示す符号１６はステンレスクリップを示し、掛け針１３を結止する輪１７をワイヤー１４の他端１２に作るためのもので、ワイヤー１４の他端部を折り返して前記ステンレスクリップ１６をかしめて輪１７を形成している。
【００１４】
ワイヤー１４は、より線でできたステンレスワイヤーを使用するのが好ましい。ワイヤー１４の素材にステンレスワイヤーを使用することにより、太刀魚のような鋭い歯や障害物との擦れに伴うワイヤー１４の破断防止、劣化の軽減に役立つ。さらに、ワイヤーアシストフック１の特徴の１つである着脱機能を生かし、長期にわたって使いまわしが可能となる。
【００１５】
ワイヤー１４の長さ寸法は、ドジョウやいかなご等の餌Ｇの長さ、掛け針の全長に応じて決定される。さらに、このワイヤー１４の長さ寸法は、テンヤ２のサイズに応じて長さが決定される。なお、本発明のワイヤーアシストフック１は、後述するように一種類で複数のタイプのテンヤ２に対応できる。なお、ワイヤー１４は、目立ちにくくし、釣果向上につなげるため、太刀魚等が釣れた時にその重さや動きに耐え得る限りできるだけ細いものを使用することが望ましい。
【００１６】
締め具１５は、ビーズ状のゴム状弾性を有する素材のものを使用することが好ましく、中心孔にワイヤー１４が挿通され、図１の点線で示すようにワイヤー１４をスライドできるようになっている。
【００１７】
前記締め具１５は、合成ゴムや合成樹脂であってもよく、蓄光性を有し夜間海中で発光する素材を用いることが望ましい。本実施例は、具体的には発光玉（登録商標）ソフトタイプを使用した。このような締め具１５を使用することにより、発光による光に集まる魚の習性を利用して集魚効果も期待できるのと、ワイヤー１４を針部２５の懐部２３に固定する２つの効果が発揮できる。
【００１８】
なお、締め具１５の形状もビーズ状にすれば締め付けや緩める際の手掛かりが出来て扱いやすくなる。ただし、本発明の締め具１５の形状はビーズ状に限定されるものではない。
【００１９】
掛け針１３は、既存のトリプルフックを使用したが、トリプルフックに限定されるものではなく、シングルフック、ダブルフック、４本フック等を使用してもよい。なお、掛け針１３の材質は、海水環境で使用するので腐食しにくい材質とするため、ステンレス製とすることが望ましい。なお、掛け針１３は、魚が警戒して探りを入れるために、テンヤ２に括り付けた餌Ｇの端部ｇに食い付いた時に掛かるようになっており、テンヤ２によりサイズが異なるが、実施例の図に示すトリプルフック１３は、高さ２.２ｃｍ、幅１.９ｃｍを使用した。このタイプのトリプルフック１３では現在市販されているキャスティング用テンヤのＳ，ＳＳ，ＳＳＳサイズとバランスがとれ、これらの３タイプのものに使用できる。従って、１種類のワイヤーアシストフック１で、だいたい３種類程度のテンヤ２に対応でき、釣り場の状況によって１種のワイヤーアシストフック１で３種類程度のテンヤ２に自在に脱着して釣り果を上げることが可能となる。
【００２０】
なお、掛け針１３とテンヤ２のバランスが崩れると、テンヤ２の姿勢が崩れるので、釣り果に影響がでて好ましくない。しかし、本発明のワイヤーアシストフック１は、ワイヤー１４と、ワイヤー１４に結止された掛け針１３と、ステンレスクリップ１６と、ワイヤー１４の輪１０を縮径させる締め具１５とから構成され、これら最小限の部材で構成することにより全体が軽量となり、ワイヤーアシストフック１がテンヤ２のバランスに影響を及ぼさない特徴がある。このように、テンヤ２のバランスが保持されることにより、テンヤ２の最良な姿勢を維持できるので、釣り果を上げることができる。
【００２１】
本発明のテンヤ用ワイヤーアシストフック１の使用に際して、輪１０を針部２５の懐部２３に通し、締め具１５によって輪１０を締付けることでワイヤーアシストフック１が懐部２３に取り付けることができる。また、輪１０は懐部２３に締付けられているので、返し２４を超えて針部２５から容易に外れないようになる。
【００２２】
逆に、締め具１５を逆方向へ緩めれば、輪１０が開き、返し２４を超えて容易に取り外せるようになる。従って、このようなテンヤ用ワイヤーアシストフック１により、ワンタッチでテンヤ２に着脱することが可能となる。
【００２３】
以上説明したように、本発明のテンヤ用アシストフック１は、テンヤ２の針の懐部２３に脱着自在にできるので、釣り場の状況に応じて自由にテンヤ２を使い分けることができ、それだけ釣り果向上に寄与することができる。
【００２４】
さらに、テンヤ用アシストフック１のワイヤー１４を細いものにすることによって、目立ち難くでき、また、締め具１５に発光あるいは蓄光素材（ビーズ）を使用すれば、誘魚効果も期待でき漁獲向上により寄与させることができる。
【００２５】
図４はテンヤ用ワイヤーアシストフック１の変形例を示している。前記ワイヤーアシストフック１は、図１に示すように、ステンレスクリップ１６をかしめて、ワイヤー１４の他端１２に掛け針１３を結止する輪１７を作っている。輪１７のために、掛け針１３は、ある程度自由度がきくような状態で結止されている。これに対して、図４に示す変形例では、輪１７を備えているが、輪１７は、ステンレスクリップ１６により絞られて、掛け針１３がワイヤー１４の他端１２に自由度が効かないように拘束された状態で結止されている。このように、掛け針１３を自由が効かないような状態で結止することにより、掛け針１３の方向性が定まり、ワイヤー１４に対して掛け針１３が直線状に延びて、垂れ下がるような姿勢になることがないので、直線的に餌を取りにくる太刀魚等の魚種に対して掛け針１３が接触した際、力が逃げにくく、口や顎の外表面に引っ掛かりやすくなるという特徴がある。
【実施例２】
【００２６】
図２は、図１のワイヤーアシストフック１を取り付けた太刀魚釣りに用いられるテンヤ２を示している。ただし、本発明のテンヤ２は太刀魚釣用に限定されないことは言うまでもない。なお、前記のように、テンヤ２は、現在市販されているキャスティング用テンヤのＳ，ＳＳ，ＳＳＳサイズを用いた。この太刀魚釣りに用いられるテンヤ本体２１は、ドジョウなどの餌Ｇを縛りつける長さの軸２２の先に大きな懐部２３と、返し２４の付いた針部２５を有し、軸２２の針部２５と反対側に、餌Ｇを固定する固定針２６Ａ、２６Ｂ、２６Ｃが軸２２と一体に設けられている。なお、この固定針２６Ａ〜２６Ｃは針２６Ａ一本のみ、あるいは針２６Ａ、２６Ｂの２本だけであっても良い。
【００２７】
前記軸２２のチモト部２７には、環２８を有する錘２９が一体に取り付けられている。そして、前記のように針部２５の懐部２３に、テンヤ用ワイヤーアシストフック１の輪１０を通し、締め具１５を懐部２３の方向へスライドして締め付けることでワイヤーアシストフック１が取り付けられている。
【００２８】
図３は前記テンヤ２の使用状態を示す。まず、テンヤ２の軸２２にドジョウなどの餌Ｇを固定針２６Ａ〜２６Ｂに突き刺して位置決めし、さらにワイヤーＷなどで縛り付けて固定する。この時、ドジョウなどの餌Ｇの端部ｇをテンヤ２より突き出すようにする。そして、環２８に釣り糸Ｌを結び止める。
【００２９】
この状態でテンヤ２を海中に投げると、釣り糸Ｌに引かれテンヤ２は餌Ｇの端部ｇを下方にした斜め姿勢で支持される。従ってテンヤ用ワイヤーアシストフック１は、餌Ｇの端部ｇの下方に位置するようになる。
【００３０】
なお、この時、餌Ｇの端部ｇは、縛られていないので釣り糸Ｌのしゃくり動作や波の上下動などにより、前記ワイヤーアシストフック１と共にゆらゆらと揺れ動き、いわゆる「誘い」となる。
【００３１】
一方、太刀魚などの魚が就餌するときは、頭を上にしたほぼ垂直姿勢をとることが知られているので、太刀魚が下方から餌Ｇを咥えた時、ワイヤーアシストフック１の掛け針１３が太刀魚の口の他、顎の外表面にも掛り易くなる。
【００３２】
また、テンヤの大きさに対し、テンヤ用ワイヤーアシストフック１の大きさが合わない場合、釣初める前に任意に異なる大きさのワイヤーアシストフック１に取り換える。さらに釣始めた後で有っても、魚の釣れ方の状況から判断して異なるテンヤ２に迅速に付け替えることができる。
【００３３】
なお、実施例２では、図１のワイヤーアシストフック１を取り付けたテンヤ２で説明したが、図４のワイヤーアシストフック１を取り付けたテンヤ２であってもよい。図４のワイヤーアシストフック１により、ワイヤー１４に対して掛け針１３が固定されているので、餌を取にきた太刀魚の口や顎の外表面に引っ掛かりやすくなる。
【産業上の利用可能性】
【００３４】
本発明のテンヤ用ワイヤーアシストフックおよびテンヤは、漁業の分野、特に釣りの分野に応用することが可能である。
【符号の説明】
【００３５】
１    テンヤ用ワイヤーアシストフック
２    テンヤ
１０  輪
１１  ワイヤー一端
１２  ワイヤー他端
１３  掛け針
１４  ワイヤー
１５  締め具
１６  ステンレスクリップ
２１  テンヤ本体
２２  軸
２３  懐部
２４  返し
２５  針部
２６Ａ、２６Ｂ、２６Ｃ  固定針
２７  チモト部  
２８  環
２９  錘
Ｇ  餌のドジョウ
ｇ  ドジョウの端部
【図１】
2018093804.tif 000003
【図２】
2018093804.tif 000004
【図３】
2018093804.tif 000005
【図４】
2018093804.tif 000006
【図５】
2018093804.tif 000007
【図６】
2018093804.tif 000008
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
テンヤの針部の懐部に挿通される輪を一端に有し、他端に掛け針が結止されたワイヤーからなるテンヤ用ワイヤーアシストフックであって、
前記ワイヤーは、より線でできた細いステンレスワイヤーを使用し、前記ワイヤーの一端の輪は針部の返しを超える大きさであり、
前記針部の返しを超えた輪を縮径して前記針部の懐部を締付ける締め具はゴム弾性を有し、この締め具の締付けまたは解除により前記テンヤの針部の懐部に着脱自在であることを特徴とするテンヤ用ワイヤーアシストフック。
【請求項２】
掛け針は、ダブルフック、トリプルフック、４本フックの何れかを用いたことを特徴とする請求項１に記載のテンヤ用ワイヤーアシストフック。
【請求項３】
掛け針は、ワイヤーの他端に自由度がきくような状態で結止するか、又は自由度が効かないように拘束された状態で結止されているか、何れかであることを特徴とする請求項１又は請求項２に記載のテンヤ用ワイヤーアシストフック。
【請求項４】
締め具が、発光体からなる弾性材質製のビーズ体である請求項1に記載のテンヤ用ワイヤーアシストフック。
【請求項５】
テンヤ本体は、餌を縛りつける長さの軸の先に大きな懐部と、返しの付いた針部を有し、軸の針部と反対側に、餌を固定する固定針が軸に設けられ、前記軸のチモト部には、環を有する錘が取り付けられているテンヤであって、
前記テンヤの懐部に、請求項１〜請求項４の何れかに記載のテンヤ用アシストフックのワイヤー一端の輪を通し、締め具を懐部の方向にスライドして締め付けることでワイヤーアシストフックを取り付け、締め具を逆方向に緩めて輪が開き、針部の返しを超えて容易に取り外せる、着脱自在なテンヤ用ワイヤーアシストフックを備えたことを特徴とするテンヤ。
【手続補正２】
【補正対象書類名】明細書
【補正対象項目名】０００８
【補正方法】変更
【補正の内容】
【０００８】
本発明の、テンヤ用ワイヤーアシストフックは、テンヤの針部の懐部に挿通される輪を一端に有し、他端に掛け針が結止されたワイヤーからなるテンヤ用ワイヤーアシストフックであって、
前記ワイヤーは、より線でできた細いステンレスワイヤーを使用し、前記ワイヤーの一端の輪は針部の返しを超える大きさであり、前記針部の返しを超えた輪を縮径して前記針部の懐部を締付ける締め具はゴム弾性を有し、この締め具の締付けまたは解除により前記テンヤの針部の懐部に着脱自在であることを特徴とする。
【手続補正３】
【補正対象書類名】明細書
【補正対象項目名】００１９
【補正方法】変更
【補正の内容】
【００１９】
掛け針１３は、既存のトリプルフックを使用したが、トリプルフックに限定されるものではなく、ダブルフック、４本フック等を使用してもよい。なお、掛け針１３の材質は、海水環境で使用するので腐食しにくい材質とするため、ステンレス製とすることが望ましい。なお、掛け針１３は、魚が警戒して探りを入れるために、テンヤ２に括り付けた餌Ｇの端部ｇに食い付いた時に掛かるようになっており、テンヤ２によりサイズが異なるが、実施例の図に示すトリプルフック１３は、高さ２.２ｃｍ、幅１.９ｃｍを使用した。このタイプのトリプルフック１３では現在市販されているキャスティング用テンヤのＳ，ＳＳ，ＳＳＳサイズとバランスがとれ、これらの３タイプのものに使用できる。従って、１種類のワイヤーアシストフック１で、だいたい３種類程度のテンヤ２に対応でき、釣り場の状況によって１種のワイヤーアシストフック１で３種類程度のテンヤ２に自在に脱着して釣り果を上げることが可能となる。